(57)【要約】  課題は、カソード側の電極において１ｃｍ2当たりに含まれる白金触媒の質量が０．２ｍｇ以下である燃料電池システムによって１．４Ａ／ｃｍ2以上の電流密度による発電をする際に、燃料電池スタックのアノードの入り口の乾燥を抑制することである。この課題を解決するために、燃料電池スタックの温度を３０℃以上６５℃以下に制御すること、カソードガスのストイキ比を１．０以上１．５以下に制御すること、アノードガスの出口圧力を１００ｋＰａ以上２５０ｋＰａ以下に制御すること、及びアノードガスのストイキ比を１．２５以上５以下に制御することの少なくとも何れか１つを実行する。
2014017028.tif 000002
【特許請求の範囲】
【請求項１】
カソード側の電極において１ｃｍ2当たりに含まれる白金触媒の質量が０．２ｍｇ以下である燃料電池システムであって、
アノードに対して供給されるアノードガスの流れの向きと、カソードに対して供給されるカソードガスの流れの向きとが互いに対向するように前記アノードガスと前記カソードガスとの供給を受ける燃料電池スタックと、
１．４Ａ／ｃｍ2以上の電流密度による発電の際に、前記燃料電池スタックの温度を３０℃以上６５℃以下に制御すること、前記カソードガスのストイキ比を１．０以上１．５以下に制御すること、前記アノードガスの出口圧力を１００ｋＰａ以上２５０ｋＰａ以下に制御すること、及び前記アノードガスのストイキ比を１．２５以上５以下に制御することの少なくとも何れか１つを実行する乾燥抑制部と
を備える燃料電池システム。
【請求項２】
請求項１に記載の燃料電池システムであって、
前記乾燥抑制部は、前記燃料電池スタックの温度を３０℃以上６５℃以下に制御し、前記カソードガスのストイキ比を１．０以上１．５以下に制御する
を備える燃料電池システム。
【請求項３】
請求項２に記載の燃料電池システムであって、
前記乾燥抑制部は、前記燃料電池スタックの温度を３０℃以上５０℃以下に制御する
燃料電池システム。
【請求項４】
請求項３に記載の燃料電池システムであって、
前記乾燥抑制部は、前記燃料電池スタックの温度を３０℃以上４０℃以下に制御する
燃料電池システム。
【請求項５】
請求項２から請求項４の何れか１つに記載の燃料電池システムであって、
前記乾燥抑制部は、前記カソードガスのストイキ比を１．０以上１．３以下に制御する
燃料電池システム。
【請求項６】
請求項５に記載の燃料電池システムであって、
前記乾燥抑制部は、前記カソードガスのストイキ比を１．０以上１．２以下に制御する
燃料電池システム。
【請求項７】
請求項２から請求項６の何れか１つに記載の燃料電池システムであって、
前記乾燥抑制部による温度制御が終了した後に、前記燃料電池スタックの目標温度を、通常の運転条件における値に設定する目標温度設定部を備え、
前記乾燥抑制部は、前記目標温度設定部によって設定される目標温度から、前記乾燥抑制部によって設定される目標温度を引いて得られる差を、前記目標値に設定されるカソードガスのストイキ比で割ることによって算出される商が８．３℃以上になるように、前記燃料電池スタックの温度と前記カソードガスのストイキ比とを制御する
燃料電池システム。
【請求項８】
請求項７に記載の燃料電池システムであって、
前記乾燥抑制部は、前記商が１０℃以上になるように、前記燃料電池スタックの温度と前記カソードガスのストイキ比とを制御する
燃料電池システム。
【請求項９】
請求項２から請求項８の何れか１つに記載の燃料電池システムであって、
前記乾燥抑制部は、セル電圧が基準値以下となることを達成した場合に、前記燃料電池スタックの温度の制御を終える
燃料電池システム。
【請求項１０】
請求項２から請求項９の何れか１つに記載の燃料電池システムであって、
前記乾燥抑制部は、前記燃料電池スタックの温度が目標値以下となることを達成した場合に、前記燃料電池スタックの温度の制御を終える
燃料電池システム。
【請求項１１】
請求項２から請求項１０の何れか１つに記載の燃料電池システムであって、
前記乾燥抑制部は、セル電圧が基準値以下となることを達成した場合に、前記カソードガスのストイキ比の制御を終える
燃料電池システム。
【請求項１２】
請求項２から請求項１１の何れか１つに記載の燃料電池システムであって、
前記乾燥抑制部は、前記カソードガスのストイキ比が目標値以下となることを達成した場合に、前記カソードガスのストイキ比の制御を終える
燃料電池システム。
【請求項１３】
請求項１に記載の燃料電池システムであって、
前記乾燥抑制部は、前記アノードガスの出口圧力を１００ｋＰａ以上２５０ｋＰａ以下に制御し、前記アノードガスのストイキ比を１．２５以上５以下に制御する
を備える燃料電池システム。
【請求項１４】
請求項１３に記載の燃料電池システムであって、
前記乾燥抑制部は、前記アノードガスの出口圧力を１５０ｋＰａ以上２５０ｋＰａ以下に制御する
燃料電池システム。
【請求項１５】
請求項１４に記載の燃料電池システムであって、
前記乾燥抑制部は、前記アノードガスの出口圧力を１５０ｋＰａ以上２００ｋＰａ以下に制御する
燃料電池システム。
【請求項１６】
請求項１３から請求項１５の何れか１つに記載の燃料電池システムであって、
前記乾燥抑制部は、前記アノードガスのストイキ比を１．２５以上４以下に制御する
燃料電池システム。
【請求項１７】
請求項１６に記載の燃料電池システムであって、
前記乾燥抑制部は、前記アノードガスのストイキ比を１．２５以上３以下に制御する
燃料電池システム。
【請求項１８】
請求項１７に記載の燃料電池システムであって、
前記乾燥抑制部は、前記アノードガスのストイキ比を１．２５以上２以下に制御する
燃料電池システム。
【請求項１９】
請求項１８に記載の燃料電池システムであって、
前記乾燥抑制部は、前記アノードガスのストイキ比を１．２５以上１．６６以下に制御する
燃料電池システム。
【請求項２０】
請求項１３から請求項１９の何れか１つに記載の燃料電池システムであって、
前記乾燥抑制部は、前記アノードガスの出口圧力を前記アノードガスのストイキ比で割ることによって算出される商が５０ｋＰａ以上になるように、前記アノードガスの出口圧力と前記アノードガスのストイキ比とを制御する
燃料電池システム。
【請求項２１】
請求項２０に記載の燃料電池システムであって、
前記乾燥抑制部は、前記商が８３ｋＰａ以上になるように、前記アノードガスの出口圧力と前記アノードガスのストイキ比とを制御する
燃料電池システム。
【請求項２２】
請求項１から請求項２１の何れか１つの燃料電池システムの運転方法。
【発明の詳細な説明】
【技術分野】
【０００１】
本発明は、燃料電池に関する。
【背景技術】
【０００２】
従来から、燃料電池におけるカソードの入り口が乾燥するという課題が知られている。カソードの入り口とは、空気などのカソードガスが燃料電池スタックを構成する各単セルに流入する入り口のことである。従来技術では、燃料ガスの流量を増加させたり、燃料ガスの圧力を低下させたりすることによって、カソードの入り口の乾燥を抑制していた（例えば特許文献１）。
【先行技術文献】
【特許文献】
【０００３】
【特許文献１】特開２００９−２５９７５８号公報
【発明の概要】
【発明が解決しようとする課題】
【０００４】
本願の発明者らは、今後の技術開発によって、アノードの入り口の乾燥が生じやすくなるという課題を予見した。アノードの入り口とは、水素などを含むアノードガスが燃料電池スタックを構成する各単セルに流入する入り口のことである。その技術開発とは、燃料電池スタックの小型化のために電流密度が大きくなり（例えば１．４〜２．５Ａ／ｃｍ2）、カソード側において、電極の単位面積当たりの白金量が更に低減される（例えば０．２ｍｇ／ｃｍ2以下）等の状況をもたらすものである。【０００５】
例えば、カーボンナノチューブを使用する場合に、カソード側の白金量が低減されると、ガス拡散抵抗が増大する。ガス拡散抵抗が増大した状態において電流密度を大きくすると、酸素分圧が高いカソードの面内位置、つまりカソードの入り口付近における局所電流密度が上がりやすくなる一方で、酸素分圧が低くなるカソードの面内位置、つまりカソードの出口付近における局所電流密度が上がりにくくなる。局所電流密度が上がりにくい面内位置における水分の生成量は、減少する。よって、カソードの出口付近が乾燥しやすくなる。この結果、カソードガスとアノードガスとの流れの向きが対向する場合にカソードの出口付近からアノードの入り口付近に供給される水分量は、減少する。アノードの入り口付近に供給される水分量が、アノードの入り口付近における水分の持ち去り量（蒸発量）を下回ると、アノードの入り口が乾燥する。アノードの入り口が乾燥すれば、燃料電池全体の発電性能が低下する。本願発明が解決しようとする課題は、このような状況に鑑みたものである。【０００６】
ところで燃料電池システムは、加湿モジュールを搭載する場合がある。加湿モジュールは、カソードガスを加湿するものと、アノードガスを加湿するものとがある。カソードガスを加湿する加湿モジュールが搭載されない場合、カソードガスは無加湿ガスとして使用される。アノードガスを加湿する加湿モジュールが搭載されない場合、アノードガスは無加湿ガスとして使用される。アノードの入り口の乾燥は、カソードガスとアノードガスとの両方が加湿される場合に比べ、アノードガスが加湿される一方でカソードガスが無加湿ガスであると促進され、カソードガスとアノードガスとの両方が無加湿ガスであると更に促進される。このような場合、上記課題はより深刻になる。
【課題を解決するための手段】
【０００７】
本発明は、上述の課題の少なくとも一部を解決するためのものであり、以下の形態として実現できる。【０００８】
（１）本発明の一形態によれば、カソード側の電極において１ｃｍ2当たりに含まれる白金触媒の質量が０．２ｍｇ以下である燃料電池システムが提供される。この燃料電池システムは、燃料電池スタックと、乾燥抑制部とを備える。燃料電池スタックは、アノードに対して供給されるアノードガスの流れの向きと、カソードに対して供給されるカソードガスの流れの向きとが互いに対向するようにアノードガスとカソードガスとの供給を受ける。乾燥抑制部は、１．４Ａ／ｃｍ2以上の電流密度による発電の際に、燃料電池スタックの温度を３０℃以上６５℃以下に制御すること、カソードガスのストイキ比を１．０以上１．５以下に制御すること、アノードガスの出口圧力を１００ｋＰａ以上２５０ｋＰａ以下に制御すること、及びアノードガスのストイキ比を１．２５以上５以下に制御することの少なくとも何れか１つを実行する。【０００９】
この燃料電池システムによれば、カソード側の電極において１ｃｍ2当たりに含まれる白金触媒の質量が０．２ｍｇ以下であっても、１．４Ａ／ｃｍ2以上の電流密度による発電の際に、アノードの入り口の乾燥を抑制できる。３０℃以上６５℃以下の燃料電池スタックの温度は、１．４Ａ／ｃｍ2以上の電流密度による発電時の通常条件における燃料電池スタックの温度以下の値であることが多い。つまり、乾燥抑制部は、通常条件の場合よりも、燃料電池スタックの温度を低下させる。燃料電池スタックの温度が低下すれば、アノードの入り口の乾燥が抑制される。１．０以上１．５以下のカソードガスのストイキ比は、１．４Ａ／ｃｍ2以上の電流密度による発電時の通常条件におけるカソードガスのストイキ比以下の値であることが多い。つまり、乾燥抑制部は、通常条件の場合よりも、カソードガスのストイキ比を低下させる。カソードガスのストイキ比が低下すれば、カソードガスが燃料電池スタックから持ち去る水蒸気の量（蒸発量）が低減される。この結果、特にカソードの出口が湿る。カソードガスとアノードガスとの流れが互いに対向しているので、カソードの出口が湿れば、アノードの入り口が湿る。よって、アノードの入り口の乾燥が抑制される。ストイキ比とは、燃料電池に供給される反応ガス量を、要求される発電量に基づく燃料電池の必要反応ガス量で割ることによって算出される比のことである。１００ｋＰａ以上２５０ｋＰａ以下のアノードガスの出口圧力は、通常条件におけるアノードガスの出口圧力以上の値であることが多い。つまり、乾燥抑制部は、通常条件の場合よりも、アノードガスの出口圧力を上昇させる。アノードガスの出口圧力が上昇すれば、アノードガスの流量が減少する。アノードガスの流量が減少すれば、アノードガスによってアノードの入り口から持ち去られる水分量が減少する。この結果、アノードの入り口の乾燥が抑制される。１．０以上１．５以下のアノードガスのストイキ比は、通常条件におけるアノードガスのストイキ比以下の値であることが多い。つまり、乾燥抑制部は、通常条件の場合よりも、アノードガスのストイキ比を低下させる。アノードガスのストイキ比が低下すれば、つまり、アノードガスの流量が減少すれば、アノードガスによってアノードの入り口から持ち去られる水分量が減少する。この結果、アノードの入り口の乾燥が抑制される。「１．４Ａ／ｃｍ2以上の電流密度による発電の際」とは、例えば、１．４Ａ／ｃｍ2以上の電流密度による発電を実行している時や、１．４Ａ／ｃｍ2以上の電流密度による発電への移行を予測した時などである。本願においては、圧力は絶対圧を意味する。【００１０】
（２）上記形態の燃料電池システムにおいて、乾燥抑制部は、燃料電池スタックの温度を３０℃以上６５℃以下に制御し、カソードガスのストイキ比を１．０以上１．５以下に制御する。この燃料電池システムによれば、先述した通り、アノードの入り口の乾燥を抑制できる。【００１１】
（３）上記形態の燃料電池システムにおいて、乾燥抑制部は、燃料電池スタックの温度を３０℃以上５０℃以下に制御する。この燃料電池システムによれば、アノードの入り口の乾燥をより抑制できる。【００１２】
（４）上記形態の燃料電池システムにおいて、乾燥抑制部は、燃料電池スタックの温度を３０℃以上４０℃以下に制御する。この燃料電池システムによれば、アノードの入り口の乾燥をより抑制できる。【００１３】
（５）上記形態の燃料電池システムにおいて、乾燥抑制部は、カソードガスのストイキ比を１．０以上１．３以下に制御する。この燃料電池システムによれば、アノードの入り口の乾燥をより抑制できる。【００１４】
（６）上記形態の燃料電池システムにおいて、乾燥抑制部は、カソードガスのストイキ比を１．０以上１．２以下に制御する。この燃料電池システムによれば、アノードの入り口の乾燥をより抑制できる。【００１５】
（７）上記形態の燃料電池システムにおいて、前記燃料電池スタックの目標温度を、通常の運転条件における値に設定する目標温度設定部を備える。乾燥抑制部は、目標温度設定部によって設定される目標温度から、乾燥抑制部によって設定される目標温度を引いて得られる差を、目標値に設定されるカソードガスのストイキ比で割ることによって算出される商が８．３℃以上になるように、燃料電池スタックの温度とカソードガスのストイキ比とを制御する。この燃料電池システムによれば、アノードの入り口の乾燥をより抑制できる。燃料電池スタックの温度を下げた効果は、例えば、燃料電池スタックの温度を通常の条件（例えば６５℃）に戻すことによって確認できる。【００１６】
（８）上記形態の燃料電池システムにおいて、乾燥抑制部は、前記商が１０℃以上になるように、燃料電池スタックの温度とカソードガスのストイキ比とを制御する。この燃料電池システムによれば、アノードの入り口の乾燥をより抑制できる。【００１７】
（９）上記形態の燃料電池システムにおいて、乾燥抑制部は、セル電圧が基準値以下となることを達成した場合に、燃料電池スタックの温度の制御を終える。この燃料電池システムによれば、適切なタイミングによって、通常条件に戻ることができる。【００１８】
（１０）上記形態の燃料電池システムにおいて、乾燥抑制部は、燃料電池スタックの温度が目標値以下となることを達成した場合に、燃料電池スタックの温度の制御を終える。この燃料電池システムによれば、適切なタイミングによって、通常条件に戻ることができる。【００１９】
（１１）上記形態の燃料電池システムにおいて、乾燥抑制部は、セル電圧が基準値以下となることを達成した場合に、カソードガスのストイキ比の制御を終える。この燃料電池システムによれば、適切なタイミングによって、通常条件に戻ることができる。【００２０】
（１２）上記形態の燃料電池システムにおいて、乾燥抑制部は、カソードガスのストイキ比が目標値以下となることを達成した場合に、カソードガスのストイキ比の制御を終える。この燃料電池システムによれば、適切なタイミングによって、通常条件に戻ることができる。【００２１】
（１３）上記形態の燃料電池システムにおいて、乾燥抑制部は、アノードガスの出口圧力を１００ｋＰａ以上２５０ｋＰａ以下に制御し、アノードガスのストイキ比を１．２５以上５以下に制御する。この燃料電池システムによれば、先述した通り、アノードの入り口の乾燥が抑制される。【００２２】
（１４）上記形態の燃料電池システムにおいて、乾燥抑制部は、アノードガスの出口圧力を１５０ｋＰａ以上２５０ｋＰａ以下に制御する。この燃料電池システムによれば、アノードの入り口の乾燥をより抑制できる。【００２３】
（１５）上記形態の燃料電池システムにおいて、乾燥抑制部は、アノードガスの出口圧力を１５０ｋＰａ以上２００ｋＰａ以下に制御する。この燃料電池システムによれば、アノードの入り口の乾燥をより抑制できる。アノードガスの流量が少なすぎると、アノードの出口が乾燥する。よって、アノードガスの出口圧力を適切な範囲に収めることによって、アノードの入り口と出口との乾燥を抑制できる。【００２４】
（１６）上記形態の燃料電池システムにおいて、乾燥抑制部は、アノードガスのストイキ比を１．２５以上４以下に制御する。この燃料電池システムによれば、アノードの入り口の乾燥をより抑制できる。【００２５】
（１７）上記形態の燃料電池システムにおいて、乾燥抑制部は、アノードガスのストイキ比を１．２５以上３以下に制御する。この燃料電池システムによれば、アノードの入り口の乾燥をより抑制できる。【００２６】
（１８）上記形態の燃料電池システムにおいて、乾燥抑制部は、アノードガスのストイキ比を１．２５以上２以下に制御する。この燃料電池システムによれば、アノードの入り口の乾燥をより抑制できる。【００２７】
（１９）上記形態の燃料電池システムにおいて、乾燥抑制部は、アノードガスのストイキ比を１．２５以上１．６６以下に制御する。この燃料電池システムによれば、アノードの入り口の乾燥をより抑制できる。【００２８】
（２０）上記形態の燃料電池システムにおいて、乾燥抑制部は、アノードガスの出口圧力をアノードガスのストイキ比で割ることによって算出される商が５０ｋＰａ以上になるように、アノードガスの出口圧力とアノードガスのストイキ比とを制御する。この燃料電池システムによれば、アノードの入り口の乾燥をより抑制できる。【００２９】
（２１）上記形態の燃料電池システムにおいて、乾燥抑制部は、前記商が８３ｋＰａ以上になるように、アノードガスの出口圧力とアノードガスのストイキ比とを制御する。この燃料電池システムによれば、アノードの入り口の乾燥をより抑制できる。【００３０】
例えば、本発明の一形態において、このシステムは、先述した乾燥抑制部を有していても良く、有していなくても良い。別の形態における乾燥抑制部は、例えば、燃料電池スタックの温度を制御してもしなくても良いし、カソードガスのストイキ比を制御してもしなくても良いし、アノードガスの出口圧力を制御してもしなくても良いし、アノードガスのストイキ比を制御してもしなくても良い。つまり、上記別の形態における乾燥抑制部は、４つのパラメータの少なくとも１つを制御すれば良い。別の形態における乾燥抑制部は、例えば、燃料電池スタックの温度を３０℃以上５０℃以下に制御することと、カソードガスのストイキ比を１．０以上１．３以下に制御することとの少なくとも一方を満たしても満たさなくても良い。別の形態における乾燥抑制部は、例えば、アノードガスの出口圧力を１５０ｋＰａ以上２５０ｋＰａ以下に制御することと、アノードガスのストイキ比を１．２５以上４以下に制御することとの少なくとも一方を満たしても満たさなくても良い。【００３１】
別の形態における乾燥抑制部は、例えば、上記４つのパラメータの少なくとも何れか１つについて、数値限定を伴わずに、通常条件に対して値を高くする又は低くするという技術思想に基づくようにしてもしなくても良い。こうしたシステムは、例えば燃料電池システムとして実現できる一方、燃料電池システム以外の他のシステムとしても実現できる。このような形態によれば、システムの小型化や、低コスト化、省資源化、製造の容易化、使い勝手の向上等の種々の課題の少なくとも１つを解決できる。先述した燃料電池システムの各形態の技術的特徴の一部または全部は、何れもこのシステムに適用できる。【００３２】
本発明は、上記以外の種々の形態でも実現できる。例えば、燃料電池システムの運転方法、その運転方法を実現するためのプログラム、そのプログラムを記憶した一時的でない記憶媒体等の形態で実現できる。
【図面の簡単な説明】
【００３３】
【図１Ａ】燃料電池自動車の概略構成を示すブロック構成図。
【図１Ｂ】単位面積当たりの白金量を説明する図。
【図２】乾燥抑制処理を示すフローチャート。
【図３】アノードストイキ比制御処理を示すフローチャート。
【図４】カソードストイキ比制御処理を示すフローチャート。
【図５】冷却水温度制御処理を示すフローチャート。
【図６】アノード圧力制御処理を示すフローチャート。
【図７】アノードストイキ比制御処理およびアノード圧力制御処理が実行された場合のセル電圧と面積抵抗との測定値を示すテーブル。
【図８】カソードストイキ比制御処理および冷却水温度制御処理が実行された場合のセル電圧と面積抵抗との測定値を示すテーブル。
【図９】セル電圧の変化率を表したグラフ。
【図１０】面積抵抗の変化率を表したグラフ。
【図１１】アノードストイキ比制御処理およびアノード圧力制御処理が実行された場合のセル電圧と面積抵抗との測定値を、アノードガスの出口圧力を横軸にして示すグラフ。
【図１２】アノードストイキ比制御処理およびアノード圧力制御処理が実行された場合のセル電圧と面積抵抗との測定値を、アノードガスのストイキ比を横軸にして示すグラフ。
【図１３】カソードストイキ比制御処理および冷却水温度制御処理が実行された場合のセル電圧と面積抵抗との測定値を、カソードガスのストイキ比を横軸にして示すグラフ。
【図１４】カソードストイキ比制御処理および冷却水温度制御処理が実行された場合のセル電圧と面積抵抗との測定値を、冷却水温度を横軸にして示すグラフ。
【図１５】アノードガスの出口圧力をアノードガスのストイキ比で割った値の変化による影響を示すグラフ。
【図１６】冷却水温度の低減値をカソードガスのストイキ比で割った値の変化による影響を示すグラフ。
【図１７】局所電流密度および面内位置の関係並びに局所面積抵抗および面内位置の関係を示すグラフ。
【図１８】セル電圧および電流密度の関係並びに面積抵抗および電流密度の関係を示すグラフ。
【発明を実施するための形態】
【００３４】
ハードウェア構成（図１Ａ）：
図１Ａは、燃料電池自動車２０の概略構成を示すブロック構成図である。燃料電池自動車２０は、四輪自動車であり、図１Ａに示すように燃料電池システム３０、電力供給機構８０、駆動機構９０及び制御ユニット１００を備える。
【００３５】
燃料電池システム３０は、固体高分子形燃料電池を採用し、水素と酸素との反応によって発電をする。燃料電池システム３０は、燃料電池スタック４０、アノードガス供給排出機構５０、カソードガス供給排出機構６０及び冷却水循環機構７０を備える。
【００３６】
燃料電池スタック４０は、複数の単セル４１を積層して形成される。図１Ｂは、単セル４１を構成する膜電極接合体４３をカソード側から見た図である。膜電極接合体４３は、電解質膜部４５の両面に電極塗布部４７が形成された構成を有する。カソード側の電極塗布部４７は、カーボンナノチューブに担持された低量の白金触媒を含む。低量とは、例えば、カソード側の電極塗布部４７において０．２ｍｇ／ｃｍ2以下である。なお、他の実施形態においては、どのような値でも良く、例えば、Ｘｍｇ以下（Ｘは０．０１〜１に含まれる任意の値）でも良い。なお、触媒として、上記のようにカーボンナノチューブに担持された白金の代わりに、カーボンブラックに担持された白金を採用してもよいし、カーボンブラックに担持された白金合金を採用してもよい。この白金合金は、例えば、アルミニウム、クロム、マンガン、鉄、コバルト、ニッケル、ジルコニウム、モリブデン、ルテニウム、ロジウム、パラジウム、パナジウム、タングステン、イリジウム、チタン及び鉛の少なくとも１つと白金との合金でもよい。
【００３７】
アノードガス供給排出機構５０は、燃料電池スタック４０に水素を含むアノードガスを供給し、燃料電池スタック４０からアノードガスを排出する。アノードガス供給排出機構５０は、水素タンク５１、レギュレータ５２、アノードガス循環ポンプ５３、パージバルブ５４、排出経路５５、アノードガス圧力計５６及びインジェクタ５７を備える。
【００３８】
水素タンク５１は、水素を貯蔵する。レギュレータ５２は、水素タンク５１に貯蔵された水素を、所定圧力に減圧した上でインジェクタ５７に供給する。インジェクタ５７は、レギュレータ５２から供給された水素を、流量と圧力とを調整した上でアノードガスとして各単セル４１のアノードに供給する。アノードガス循環ポンプ５３は、消費されずにアノードから排出されたアノードガスを、燃料電池スタック４０に再度供給する。アノードガス圧力計５６は、アノードガスの出口圧力を計測する。アノードガスの出口圧力とは、アノードガスが燃料電池スタック４０から排出された直後の圧力である。
【００３９】
パージバルブ５４は、アノードから排出されたアノードガスを排出経路５５経由で排出するために、必要に応じて開かれる。排出経路５５は、アノードガス供給排出機構５０においてアノードガスが循環する経路と、カソードガス供給排出機構６０に備えられるカソードガス排出路６６（後述）とをつなぐ経路である。パージバルブ５４から排出経路５５へ排出されたアノードガスは、希釈された後、カソードガス排出路６６から大気に排出される。
【００４０】
アノードガス供給排出機構５０は、これらの構成によって、アノードガスの出口圧力とストイキ比とを、別途設定される目標値を目標にして制御する。詳細には、アノードガスの出口圧力とストイキ比との制御は、アノードガス循環ポンプ５３、パージバルブ５４及びインジェクタ５７の動作を制御することによって実現される。ストイキ比の制御は、アノードガスに占める水素分圧が一定であると見なして行われる。水素分圧が一定であると見なす代わりに、実測値を用いても良い。
【００４１】
カソードガス供給排出機構６０は、燃料電池スタック４０にカソードガスを供給し、燃料電池スタック４０からカソードガスを排出する。単セル４１それぞれに供給されるカソードガスの流れ及びアノードガスの流れは、互いに対向する。カソードガス供給排出機構６０は、カソードガス供給路６１とエアコンプレッサ６２と空気流量計６３とカソードガス排出路６６と圧力調整シャットバルブ６７とカソードガス圧力計６８とを備える。
【００４２】
カソードガス供給路６１及びカソードガス排出路６６は、燃料電池スタック４０と大気開放口とを接続する流路である。カソードガス供給路６１の大気開放口には、エアクリーナ（図示なし）が設けられている。エアコンプレッサ６２は、カソードガス供給路６１の途中に設けられ、カソードガス供給路６１の大気開放口側から空気を吸入して圧縮する。圧縮された空気は、カソードガスとして燃料電池スタック４０に供給される。空気流量計６３は、エアコンプレッサ６２によって吸入される空気の流量を計測する。
【００４３】
カソードガス圧力計６８は、カソードガス排出路６６の途中に設けられ、燃料電池スタック４０から排出された直後のカソードガスの圧力を計測する。圧力調整シャットバルブ６７は、カソードガス排出路６６に設けられ、バルブ開度に応じてカソードガス排出路６６の流路断面積を調整する。カソードガス供給排出機構６０は、これらの構成によって、カソードガスのストイキ比を、別途設定される目標値を目標にして制御する。詳細には、カソードガスのストイキ比の制御は、エアコンプレッサ６２と圧力調整シャットバルブ６７との動作を制御することによって実現される。ストイキ比の制御は、空気に占める酸素分圧が一定であると見なして行われる。酸素分圧が一定であると見なす代わりに、実測値を用いても良い。
【００４４】
冷却水循環機構７０は、燃料電池スタック４０を冷却する。冷却水循環機構７０は、ラジエータ７１と冷却水循環ポンプ７２と水温計７３とを備える。冷却水循環機構７０は、燃料電池スタック４０の温度を制御するために、燃料電池スタック４０とラジエータ７１との間において冷却水を循環させる。この循環によって、燃料電池スタック４０における吸熱とラジエータ７１における放熱とが行われる。水温計７３は、ラジエータ７１から排出された直後の冷却水温度を計測する。冷却水循環機構７０は、このような構成によって、ラジエータ７１から排出された直後の冷却水温度を制御でき、ひいては燃料電池スタック４０の温度を制御できる。冷却水温度の制御は、冷却水循環ポンプ７２による循環量と、ラジエータ７１の冷却用ファンとの動作を制御することによって実現される。
【００４５】
電力供給機構８０は、電動機器に電力を供給する。電動機器とは、例えば、駆動輪９２を駆動するモータ９１、エアコンプレッサ６２などである。電力供給機構８０は、燃料電池スタック４０による発電を監視する。発電の監視とは、例えば、電流密度、セル電圧、セルの面積抵抗の計測である。電流密度とセル電圧と面積抵抗との計測は、燃料電池スタック４０全体の発電電流及び／又は発電電圧の測定値に基づく演算によって行う。
【００４６】
制御ユニット１００は、内部にＣＰＵとＲＡＭとＲＯＭと乾燥抑制部１１０とを備えるＥＣＵである。制御ユニット１００は、発電の要求に応じて、これまでに説明した燃料電池システム３０及び電力供給機構８０などを制御する。
【００４７】
乾燥抑制処理（図２）：
図２は、乾燥抑制処理を示すフローチャートである。乾燥抑制処理の実行主体は、制御ユニット１００に備えられた乾燥抑制部である。乾燥抑制処理の開始の契機は、高負荷運転が所定時間以上、要求されたことである。高負荷運転とは、例えば１．４Ａ／ｃｍ2以上の電流密度による発電をする運転である。乾燥抑制処理の目的は、高負荷運転が要求された場合に、アノードの入り口付近の乾燥を抑制することによって、発電性能を向上させることである。
【００４８】
乾燥抑制処理を開始すると初めに、アノードストイキ比制御処理（図３参照）を行う（ステップＳ３００）。次に、カソードストイキ比制御処理（図４参照）を行う（ステップＳ４００）。続いて、冷却水温度制御処理（図５参照）を行う（ステップＳ５００）。次に、アノード圧力制御処理（図６参照）を行い（ステップＳ６００）、アノードストイキ比制御処理に戻る。但し、上記４つのサブルーチンとしての処理全てを実行する前に、乾燥抑制処理を終える場合がある。
【００４９】
アノードストイキ比制御処理（図３）：
図３は、アノードストイキ比制御処理を示すフローチャートである。まず、アノードガスのストイキ比の目標値を通常条件よりも低くなるよう変更する（ステップＳ３１０）。具体的な数値は後述する。アノードガスのストイキ比の目標値を低くすると、制御ユニット１００による制御によって、アノードガスのストイキ比は目標値に向けて低下する。この制御は、アノードの入り口の乾燥を抑制することを主な目的として行われる。アノードの入り口の乾燥が抑制されると、セル電圧は高くなりやすくなり、面積抵抗は低くなりやすくなる。
【００５０】
アノードガスのストイキ比の目標値を低くすることによる上記変化を前提として、次に、高負荷運転の要求が継続しているかを判定する（ステップＳ３２０）。高負荷運転の要求が継続していると判定すると（ステップＳ３２０、ＹＥＳ）、セル電圧が目標電圧Ｖ１以上となることを達成したかを判定する（ステップＳ３３０）。セル電圧が目標電圧Ｖ１以上でないと判定すると（ステップＳ３３０、ＮＯ）、面積抵抗が目標抵抗Ｒ１以下となることを達成したかを判定する（ステップＳ３４０）。面積抵抗が目標抵抗Ｒ１以下でないと判定すると（ステップＳ３４０、ＮＯ）、ステップＳ３２０に戻る。
【００５１】
高負荷運転の要求は、乾燥抑制処理を行う前提である。よって、高負荷運転の要求が継続していなければ（ステップＳ３２０、ＮＯ）、変更されている目標値（ここではアノードガスのストイキ比の目標値）を元に戻して（ステップＳ３７０）、乾燥抑制処理を終了する。高負荷運転の要求が継続していれば（ステップＳ３２０、ＹＥＳ）、セル電圧、面積抵抗、アノードガスのストイキ比に関する上記判定（ステップＳ３３０、３４０、３５０）を繰り返し実行する。
【００５２】
アノードの入り口の乾燥が抑制されていくと、先述したようにセル電圧は上昇し、面積抵抗は低下する。この結果、セル電圧が目標電圧Ｖ１以上となるか（ステップＳ３３０、ＹＥＳ）、面積抵抗が目標抵抗Ｒ１以下となると（ステップＳ３４０、ＹＥＳ）、乾燥抑制処理を終了する一応の条件は満たされたと推定して、次に、乾燥抑制処理を継続するかを判定する（ステップＳ３６０）。乾燥抑制処理を継続しないと判定すると（ステップＳ３６０、ＮＯ）、先述したステップＳ３７０を実行し、乾燥抑制処理を終える。
【００５３】
乾燥抑制処理を継続するかの判定（ステップＳ３６０）は、燃料電池自動車２０のエネルギーバランスを総合的に判定することによって行う。例えば、燃費や各部品の負荷等を考慮することによって行う。その一例として、後述するアノード圧力制御処理においてアノードガスの出口圧力を上昇させる場合、上昇させる時間に上限を設け、その上限に達したら乾燥抑制処理を継続しないと判定する。このように時間に上限を設ける目的は、アノードガス供給排出機構５０の負荷が大きくなる時間を制限することである。アノードガスの出口圧力を上昇させると、アノードガス供給排出機構５０の負荷が大きくなる。
【００５４】
アノードガスのストイキ比の目標値を下げて、アノードガスのストイキ比を制御していても、セル電圧と面積抵抗との何れもが目標値に達しないまま（ステップＳ３３０ＮＯ、ステップＳ３４０ＮＯ）、アノードガスのストイキ比が目標値に達することがあり得る（ステップＳ３５０、ＹＥＳ）。この場合には、アノードガスのストイキ比の低下制御によってはアノードの入り口の乾燥抑制が十分に達成できなかったと推定し、アノードガスのストイキ比の目標値を低くしたまま乾燥抑制処理の次のステップに進む。
【００５５】
カソードストイキ比制御処理（図４）：
図４は、カソードストイキ比制御処理を示すフローチャートである。まず、カソードガスのストイキ比の目標値を通常条件よりも低くなるよう変更する（ステップＳ４１０）。カソードガスのストイキ比の目標値を低くすると、制御ユニット１００による制御によって、カソードガスのストイキ比は目標値に向けて低下する。この制御は、アノードの入り口の乾燥を抑制することと、カソードの触媒に生成した酸化皮膜を除去することとを目的として行われる。一方で、カソードガスのストイキ比が低くなると、特にカソードの出口付近においてカソードガスの酸素分圧が低下する。カソードガスの酸素分圧が低下すると、セル電圧は低くなる。
【００５６】
次に、高負荷運転の要求が継続しているか判定する（ステップＳ４２０）。高負荷運転の要求が継続していると判定すると（ステップＳ４２０、ＹＥＳ）、セル電圧が目標値（例えば０．４Ｖ）以下となることを達成したかを判定する（ステップＳ４３０）。セル電圧が目標値以下でないと判定すると（ステップＳ４３０、ＮＯ）、カソードガスのストイキ比が、変更された目標値以下となることを達成したかを判定する（ステップＳ４５０）。カソードガスのストイキ比が目標値以下でないと判定すると（ステップＳ４５０、ＮＯ）、ステップＳ４２０に戻る。
【００５７】
高負荷運転の要求が継続していなければ（ステップＳ４２０、ＮＯ）、変更されている目標値（ここではカソードガスとアノードガスとのストイキ比の目標値）を元に戻して（ステップＳ４７０）、乾燥抑制処理を終了する。高負荷運転の要求が継続していれば（ステップＳ４２０、ＹＥＳ）、セル電圧、カソードガスのストイキ比に関する上記判定（ステップＳ４３０、４５０）を繰り返し実行する。
【００５８】
カソードガスのストイキ比が低下していくと、先述したようにセル電圧は低下する。この結果、セル電圧が目標値以下となった（ステップＳ４３０、ＹＥＳ）と判定すると、カソードストイキ比制御処理による効果を得ることができたと推定して、カソードガスのストイキ比の目標値を通常条件の値に戻し（ステップＳ４６０）、乾燥抑制処理の次のステップに進む。本実施形態の場合、冷却水温度制御処理に進む（ステップＳ５００）。ここで言う効果とは、特にカソード側の触媒金属（白金）表面に生成した酸化皮膜の除去が促進されることである。
【００５９】
カソードガスのストイキ比の目標値を下げて、カソードガスのストイキ比を制御していても、セル電圧が目標値に達しないまま（ステップＳ４３０ＮＯ）、カソードガスのストイキ比が目標値に達することがあり得る（ステップＳ４５０、ＹＥＳ）。この場合にも、カソードストイキ比制御処理による効果を得ることができた推定して、カソードガスのストイキ比の目標値を通常条件の値に戻し（ステップＳ４６０）、乾燥抑制処理の次のステップに進む。ここで言う効果とは、特にアノードの入り口の乾燥が抑制されることである。
【００６０】
冷却水温度制御処理（図５）：
図５は、冷却水温度制御処理を示すフローチャートである。まず、冷却水温度の目標値を通常条件よりも低くなるように変更する（ステップＳ５１０）。次に、高負荷運転の要求が継続しているか判定する（ステップＳ５２０）。
【００６１】
高負荷運転の要求が継続していると判定すると（ステップＳ５２０、ＹＥＳ）、セル電圧が目標電圧Ｖ２以下となることを達成したかを判定する（ステップＳ５３０）。目標電圧Ｖ２は、目標電圧Ｖ１より小さく、例えば０．４Ｖである。セル電圧が目標電圧Ｖ２以下でないと判定すると（ステップＳ５３０、ＮＯ）、冷却水温度が、変更された目標値以下を達成したかを判定する（ステップＳ５５０）。冷却水温度が目標値以下でないと判定すると（ステップＳ５５０、ＮＯ）、ステップＳ５２０に戻る。
【００６２】
一方、高負荷運転の要求が継続していないと判定すると（ステップＳ５２０、ＮＯ）、変更されている目標値を通常条件の値に戻し（ステップＳ５７０）、乾燥抑制処理を終える。本実施形態の場合、カソードガスのストイキ比と冷却水温度との目標値を通常条件の値に戻す。
【００６３】
一方、セル電圧が目標電圧Ｖ２以下である（ステップＳ５３０、ＹＥＳ）又は冷却水温度が目標値以下である（ステップＳ５５０、ＹＥＳ）と判定すると冷却水温度の目標値を通常条件の値に戻し（ステップＳ５６０）、乾燥抑制処理の次のステップに進む。本実施形態の場合、アノード圧力制御処理に進む（ステップＳ６００）。
【００６４】
ステップＳ５３０でＹＥＳの場合に、冷却水温度を通常条件に戻す理由は、セル電圧の低下によって、酸化皮膜の除去が促進されたと推定されることである。ステップＳ５５０でＹＥＳの場合に、冷却水温度の目標値を通常条件に戻す理由は、燃料電池スタック４０の温度が低下することによって、アノードの入り口が湿ったと推定されることである。
【００６５】
アノード圧力制御処理（図６）：
図６は、アノード圧力制御処理を示すフローチャートである。まず、アノードガスの出口圧力の目標値を通常条件よりも高くなるよう変更する（ステップＳ６１０）。アノードガスの出口圧力の目標値を高くすると、制御ユニット１００による制御によってアノードガスの出口圧力が上昇し、アノードの入り口の乾燥が抑制される。この結果、セル電圧は高くなり、面積抵抗は低くなる。
【００６６】
次に、高負荷運転の要求が継続しているか判定する（ステップＳ６２０）。高負荷運転の要求が継続していると判定すると（ステップＳ６２０、ＹＥＳ）、セル電圧が目標電圧Ｖ１以上となることを達成したかを判定する（ステップＳ６３０）。セル電圧が目標電圧Ｖ１以上でないと判定すると（ステップＳ６３０、ＮＯ）、面積抵抗が目標抵抗Ｒ１以下かを判定する（ステップＳ６４０）。
【００６７】
面積抵抗が目標抵抗Ｒ１以下でないと判定すると（ステップＳ６４０、ＮＯ）、アノードガスの出口圧力が、変更された目標値以上となることを達成したかを判定する（ステップＳ６５０）。アノードガスの出口圧力が目標値以上でないと判定すると（ステップＳ６５０、ＮＯ）、ステップＳ６２０に戻る。
【００６８】
一方、高負荷運転の要求が継続していないと判定すると（ステップＳ６２０、ＮＯ）、変更されている目標値を通常条件の値に戻し（ステップＳ６７０）、乾燥抑制処理を終える。本実施形態の場合、アノードガスのストイキ比とアノードガスの出口圧力との目標値を通常条件の値に戻す。
【００６９】
一方、セル電圧が目標電圧Ｖ１以上である（ステップＳ６３０、ＹＥＳ）又は面積抵抗が目標抵抗Ｒ１以下である（ステップＳ６４０、ＹＥＳ）と判定すると、乾燥抑制処理を継続するかを判定する（ステップＳ６６０）。乾燥抑制処理を継続しないと判定すると（ステップＳ６６０、ＮＯ）、先述したステップＳ６７０を実行し、乾燥抑制処理を終える。
【００７０】
ステップＳ６３０でＹＥＳ又はステップＳ６４０でＹＥＳの場合に乾燥抑制処理を終えるかを判定する理由は、アノードガスの入り口が湿ったと推定されることである。ステップＳ６５０でＹＥＳの場合に、アノードガスの出口圧力の目標値を高くしたまま、乾燥抑制処理の次のステップに進む理由は、アノードガスの出口圧力が目標値に達したにも関わらず、セル電圧と面積抵抗とが目標値に達しなかったことである。
【００７１】
一方、アノードガスの出口圧力が目標値以上であると判定すると（ステップＳ６５０、ＹＥＳ）、乾燥抑制処理の次のステップに進む。本実施形態の場合、アノードストイキ比制御処理を実行する（ステップＳ３００）。
【００７２】
他の実施形態：
以上に説明した乾燥抑制処理は、種々の形態に変更できる。例えば、アノードストイキ比制御処理、カソードストイキ比制御処理、冷却水温度制御処理およびアノード圧力制御処理が実行される順序は、どのように入れ替えられても良い。先述した実施形態における順序は、応答性が高い処理から順に並べたものである。この他、例えば、効果が大きい処理から順に実行するのであれば、冷却水温度制御処理、カソードストイキ比制御処理、アノード圧力制御処理、アノードストイキ比制御処理の順で実行すると良い。順に実行せずに、何れか２つ以上の処理が同時に実行されても良い。
【００７３】
アノードストイキ比制御処理、カソードストイキ比制御処理、冷却水温度制御処理およびアノード圧力制御処理は、少なくとも何れか１つが実行されれば良い。
【００７４】
アノードストイキ比制御処理及び／又はアノード圧力制御処理において、乾燥抑制処理を終えるか否かの判定を行うためのトリガとして、セル電圧と面積抵抗との何れか一方でも良い。例えば、アノードストイキ比制御処理において、ステップＳ３３０とステップＳ３４０との何れか１つを省いても良い。
【００７５】
カソードストイキ比制御処理及び／又は冷却水温度制御処理において、乾燥抑制処理を終えるか否かの判定を行うためのパラメータとして、セル電圧に加えて又は代えて、面積抵抗を採用しても良い。例えば、カソードストイキ比制御処理において、ステップＳ４３０を「面積抵抗が目標値以上？」に変更しても良い。乾燥抑制処理を開始するタイミングは、種々考えられる。例えば、電流密度が急激に上昇したことを乾燥抑制処理の開始トリガにしても良い。
【００７６】
乾燥抑制処理は、カソードガスに対する加湿機構の廃止、あるいはカソードガス及びアノードガスに対する加湿機構の廃止と共に、カソード側に低量の白金触媒を採用した場合に、高電流密度による発電を行うとき、特に効果を発揮する。但し、これらの条件の少なくとも１つが満たされなくとも、アノードの入り口付近及び／又はカソードの出口付近が乾燥した場合、或いは乾燥することが予想される場合に、乾燥抑制処理の実行は有効である。
【００７７】
実施例：
図７（Ａ）は、乾燥抑制処理としてアノードストイキ比制御処理およびアノード圧力制御処理が実行された場合のセル電圧の測定値を示すテーブルである。図７（Ｂ）は、乾燥抑制処理としてアノードストイキ比制御処理およびアノード圧力制御処理が実行された場合の面積抵抗の測定値を示すテーブルである。アノードガスのストイキ比の目標値およびアノードガスの出口圧力の目標値それぞれについて、複数の値を対象にして測定を行った。
【００７８】
図８（Ａ）は、カソードストイキ比制御処理および冷却水温度制御処理が実行された場合のセル電圧の測定値を示すテーブルである。図８（Ｂ）は、カソードストイキ比制御処理および冷却水温度制御処理が実行された場合の面積抵抗の測定値を示すテーブルである。カソードガスのストイキ比の目標値および冷却水温度の目標値それぞれについて、複数の値を対象にして測定を行った。
【００７９】
図７と図８とに示された「平均」とは、一方のパラメータが同じ場合の測定値の平均値のことである。例えば、アノードガスのストイキ比が５の場合の平均は、アノードガスのストイキ比が５、且つアノードガスの出口圧力が１００、１５０、２００又は２５０ｋＰａの４通りの条件における測定値の平均である。
【００８０】
図７と図８とに示された「変化率」とは、上記の平均が基準値からどの程度、変化したかを示す値である。アノードガスのストイキ比の基準値は５、アノードガスの出口圧力の基準値は１００ｋＰａ、カソードガスのストイキの基準値は１．５、冷却水温度の基準値は６５℃である。これら基準値は、通常条件として用いられる。図７と図８とに示された太枠は、好ましい範囲を示す。その理由は後述する。
【００８１】
図７に示された各測定値は、乾燥抑制処理における目標電圧Ｖ１として用いることができる。図８に示された各測定値は、乾燥抑制処理における目標抵抗Ｒ１として用いることができる。例えば、アノードガスの出口圧力の目標値として２００ｋＰａを、アノードガスのストイキ比の目標値として１．２５を採用した場合、目標電圧Ｖ１に０．４９８Ｖ、目標抵抗Ｒ１に７７．８８ｍΩ・ｃｍ2を採用できる。これらの値の代わりに、これらの値を所定割合、増大または減少させた値を用いることもできる。
【００８２】
図９は、図７（Ａ）と図８（Ａ）とに示したセル電圧の変化率をグラフで表したものである。図９に示すように、何れのパラメータについても、基準値以外の場合は、基準値の場合よりもセル電圧が大きいので、基準値の場合よりも好ましい。更に好ましい数値範囲としては、図９に示すように、アノードガスの出口圧力は、２５０ｋＰａよりも、１５０〜２００ｋＰａの方が好ましい。図９に示すように、アノードガスのストイキ比は、４よりも１．２５〜３の方が好ましく、更に１．２５〜２の方が好ましく、更に１．２５〜１．４の方が好ましい。図９に示すように、カソードガスのストイキ比は、１．３よりも１〜１．２の方が好ましい。図９に示すように、冷却水温度は、５０℃よりも３０〜４０℃の方が好ましい。
【００８３】
図９に示すように、冷却水温度による効果が最も顕著であり、次いでカソードガスのストイキ比による効果が顕著である。この理由は、冷却水温度制御処理およびカソードストイキ比制御処理が、アノードの入り口を湿らせることに加えて、先述したようにカソード側の白金表面の酸化皮膜を除去することであると推定される。カソードの酸化皮膜が除去される理由は、冷却水温度制御処理およびカソードストイキ比制御処理によって、セル電圧の低下つまりカソードの電位の低下が引き起こされること、及びカソードが湿ることであると考えられる。カソードの水分は、カソードの白金表面に付着した不純物を除去する効果がある。不純物とは、例えば、スルホン酸基である。スルホン酸基は、例えば、電解質膜部４５又はアイオノマから遊離する。アイオノマは、例えば、電極塗布部４７に含まれる。この効果を更に増強するためには、冷却水温度制御処理を実行した後に、カソードストイキ比制御を実行するのが好ましい。カソードの白金表面の酸化皮膜と、白金表面の不純物との除去に効果的である。
【００８４】
一方、アノードガスの出口圧力およびストイキ比の制御は、冷却水温度およびカソードガスのストイキ比の制御とは異なり、セル電圧が一旦、低下することがなく、素早く効果を得ることができる点において有利である。アノード圧力制御処理とアノードストイキ比制御処理とを実行する場合は、アノード圧力制御処理の実行の後にアノードストイキ比制御処理を実行するのが好ましい。圧力制御の応答性は、ストイキ比が高い（流量が多い）方が良好だからである。
【００８５】
図１０は、図７（Ｂ）と図８（Ｂ）とに示した面積抵抗の変化率をグラフで表したものである。何れのパラメータについても、基準値以外の場合は、基準値の場合よりも面積抵抗が小さいので、基準値の場合よりも好ましい。更に好ましい数値範囲としては、図１０に示すように、アノードガスのストイキ比は、４よりも１．２５〜３の方が好ましく、更に１．２５〜２の方が好ましく、更に１．２５〜１．６６の方が好ましい。図９と共に説明したセル電圧も考慮すると、更に１．２５〜１．４の方が好ましい。他のパラメータについての好ましい範囲は、セル電圧の場合と同じである。図１０に示すように、冷却水温度による効果が最も顕著であり、次いでアノードガスのストイキ比による効果が顕著である。
【００８６】
図１１（Ａ）は、図７（Ａ）に示した数値をグラフで表したものである。このグラフの縦軸はセル電圧であり、横軸はアノードガスの出口圧力である。図１１（Ｂ）は、図７（Ｂ）に示した数値をグラフで表したものである。このグラフの縦軸は面積抵抗であり、横軸はアノードガスの出口圧力である。グラフにおける各曲線に付された数値は、アノードガスのストイキ比を示す。
【００８７】
図１１（Ａ）に示すように、何れのアノードガスのストイキ比の場合においても、アノードの出口圧力が１００ｋＰａのときに比べて、１５０〜２５０ｋＰａのときの方が、セル電圧が大きい。よって、アノードの出口圧力は１５０〜２５０ｋＰａが好ましい。
【００８８】
図１１（Ａ）に示すように、何れのアノードガスのストイキ比の場合においても、アノードの出口圧力が２５０ｋＰａのときに比べて、１５０〜２００ｋＰａのときの方が、セル電圧が大きい。よって、アノードの出口圧力は１５０〜２００ｋＰａが好ましい。
【００８９】
図１１（Ａ）に示すように、セル電圧は、アノードガスの出口圧力の増加に対して、単調増加はしない。図１１（Ａ）は、２次関数による近似曲線を示す。これら２次曲線のピークは、１９１〜２０１ｋＰａに収まる。よって、本実施形態においては、アノードガスの出口圧力は１９１〜２０１ｋＰａが好ましい。
【００９０】
図１１（Ｂ）に示すように、アノードガスのストイキ比が５の場合、アノードガスの出口圧力の増加に対して、面積抵抗は単調減少する。よって、アノードガスの出口圧力は、アノードガスのストイキ比が５の場合、１５０〜２５０ｋＰａが好ましく、更に２００〜２５０ｋＰａが好ましい。
【００９１】
図１１（Ｂ）に示すように、アノードガスのストイキ比が１．２〜１．６６又は４の場合、アノードの出口圧力が１００ｋＰａのときよりも、１５０〜２００ｋＰａのときの方が、面積抵抗が小さい。よって、アノードガスの出口圧力は、アノードガスのストイキ比が１．２〜１．６６又は４の場合、１５０〜２００ｋＰａが好ましい。
【００９２】
図１２（Ａ）は、図７（Ａ）に示した数値をグラフで表したものである。このグラフの縦軸はセル電圧であり、横軸はアノードガスのストイキ比である。図１２（Ｂ）は、図７（Ｂ）に示した数値をグラフで表したものである。このグラフの縦軸は面積抵抗であり、横軸はアノードガスのストイキ比である。グラフにおける各曲線に付された数値は、アノードガスの出口圧力を示す。
【００９３】
図１２（Ａ）に示すように、アノードガスの出口圧力が１５０〜２５０ｋＰａの場合、アノードガスのストイキ比が５のときよりも、１．２５〜４のときの方が、セル電圧が大きい。よって、アノードガスの出口圧力が１５０〜２５０ｋＰａの場合、アノードガスのストイキ比は１．２５〜４が好ましい。
【００９４】
図１２（Ａ）に示すように、アノードガスの出口圧力が１５０〜２００ｋＰａの場合、アノードガスのストイキ比が４〜５のときよりも、１．２５〜３のときの方が、セル電圧が大きい。よって、アノードガスの出口圧力が１５０〜２００ｋＰａの場合、アノードガスのストイキ比は１．２５〜３が好ましい。
【００９５】
図１２（Ａ）に示すように、アノードガスの出口圧力が１５０〜２５０ｋＰａの場合、アノードガスのストイキ比が３〜５のときに比べて、アノードのストイキ比が１．２５〜２のときの方が、セル電圧が大きい。よって、アノードガスの出口圧力が１５０〜２５０ｋＰａの場合、アノードガスのストイキ比は１．２５〜２が好ましい。
【００９６】
図１２（Ａ）に示すように、アノードガスの出口圧力が２００〜２５０ｋＰａの場合、アノードガスのストイキ比が２〜５のときに比べて、アノードのストイキ比が１．２５〜１．６６のときの方が、セル電圧が大きい。よって、アノードガスの出口圧力が２００〜２５０ｋＰａの場合、アノードガスのストイキ比は１．２５〜１．６６が好ましい。
【００９７】
図１２（Ｂ）に示すように、アノードガスの出口圧力が１００〜２００ｋＰａの場合、アノードガスのストイキ比が５のときに比べて、アノードガスのストイキ比が１．２５〜４のときの方が、面積抵抗が小さい。よって、アノードガスの出口圧力が１００〜２００ｋＰａの場合、アノードガスのストイキ比は１．２５〜４が好ましい。
【００９８】
図１２（Ｂ）に示すように、アノードガスの出口圧力が１００〜２００ｋＰａの場合、アノードガスのストイキ比が４〜５のときに比べて、アノードガスのストイキ比が１．２５〜３のときの方が、面積抵抗が小さい。よって、アノードガスの出口圧力が１００〜２００ｋＰａの場合、アノードガスのストイキ比は１．２５〜３が好ましい。
【００９９】
図１２（Ｂ）に示すように、アノードガスの出口圧力が１００〜２００ｋＰａの場合、アノードガスのストイキ比が３〜５のときに比べて、アノードガスのストイキ比が１．２５〜２のときの方が、面積抵抗が小さい。よって、アノードガスの出口圧力が１００〜２００ｋＰａの場合、アノードガスのストイキ比は１．２５〜２が好ましい。
【０１００】
図１２（Ｂ）に示すように、アノードガスの出口圧力が１５０ｋＰａの場合、アノードガスのストイキ比が２〜５のときに比べて、アノードガスのストイキ比が１．２５〜１．６６のときの方が、面積抵抗が小さい。よって、アノードガスの出口圧力が１５０ｋＰａの場合、アノードガスのストイキ比は１．２５〜１．６６が好ましい。
【０１０１】
図１３（Ａ）は、図８（Ａ）に示した数値をグラフで表したものである。このグラフの縦軸はセル電圧であり、横軸はカソードガスのストイキ比である。図１３（Ｂ）は、図８（Ｂ）に示した数値をグラフで表したものである。このグラフの縦軸は面積抵抗であり、横軸はカソードガスのストイキ比である。グラフにおける各曲線に付された数値は、冷却水温度を示す。
【０１０２】
図１３（Ａ）に示すように、冷却水温度が３０〜４０℃又は６５℃の場合、カソードガスのストイキ比が１．５のときに比べて１．０〜１．３のときの方が、セル電圧が大きい。よって、冷却水温度が３０〜４０℃又は６５℃の場合、カソードガスのストイキ比は１．０〜１．３が好ましい。何れの冷却水温度の場合においても、カソードガスのストイキ比が１．３のときに比べて１．０〜１．２のときの方が、セル電圧が大きい。よって、カソードガスのストイキ比は１．０〜１．２が好ましい。
【０１０３】
図１３（Ｂ）に示すように、冷却水温度が５０〜６５℃の場合、カソードガスのストイキ比が１．５のときに比べて１．０〜１．３のときの方が、面積抵抗が小さい。よって冷却水温度が５０〜６５℃の場合、カソードガスのストイキ比は１．０〜１．３が好ましい。冷却水温度が６５℃の場合、カソードガスのストイキ比が１．３のときよりも、１．０〜１．２のときの方が、面積抵抗が小さい。よって、冷却水温度が６５℃の場合、カソードガスのストイキ比は１．０〜１．２が好ましい。
【０１０４】
図１４（Ａ）は、図８（Ａ）に示した数値をグラフで表したものである。このグラフの縦軸はセル電圧であり、横軸は冷却水温度である。図１４（Ｂ）は、図８（Ｂ）に示した数値をグラフで表したものである。このグラフの縦軸は面積抵抗であり、横軸は冷却水温度である。グラフにおける各曲線に付された数値は、カソードガスのストイキ比を示す。
【０１０５】
図１４（Ａ）に示すように、何れの冷却水温度の場合においても、冷却水温度が６５℃のときに比べて３０〜５０℃のときの方が、セル電圧が大きい。よって、冷却水温度は、３０〜５０℃が好ましい。図１４（Ａ）に示すように、何れの冷却水温度の場合においても、セル電圧は、冷却水温度が３０〜４０℃のときの方が、５０℃のときに比べて値が大きい。よって、冷却水温度は、３０〜４０℃が好ましい。
【０１０６】
図１４（Ｂ）に示すように、カソードガスのストイキ比が１．２〜１．５の場合、冷却水温度が６５℃のときに比べて３０〜５０℃のときの方が、面積抵抗が小さい。よって、カソードガスのストイキ比が１．２〜１．５の場合、冷却水温度は３０〜５０℃が好ましい。図１４（Ｂ）に示すように、カソードガスのストイキ比が１．２〜１．５の場合、冷却水温度が５０℃のときに比べて３０〜４０℃のときの方が、面積抵抗が小さい。よって、カソードガスのストイキ比が１．２〜１．５の場合、冷却水温度は３０〜４０℃が好ましい。
【０１０７】
図１１〜図１４に示されるように、一方のパラメータを変化させれば、他方のパラメータが通常条件であったとしても、セル電圧の上昇および面積抵抗の下降が起きる。このことは、アノードストイキ比制御処理、カソードストイキ比制御処理、冷却水温度制御処理およびアノード圧力制御処理の何れか１つの実行によっても、効果が得られることを意味する。
【０１０８】
図１５（Ａ）は、縦軸をセル電圧、横軸をアノードガスの出口圧力をアノードガスのストイキ比で割ることによって算出される商（以下「値α」と言う）にとったグラフである。図１５（Ｂ）は縦軸を面積抵抗、横軸を値αにとったグラフである。
【０１０９】
図１５（Ａ）に示すように、値αが８３ｋＰａ以上の場合、値αが８３ｋＰａ未満の場合に比べて、セル電圧の平均値が高くなると共に、セル電圧のばらつきが低減される。値αが８３ｋＰａ以上の場合、セル電圧の（平均値±標準偏差）は、０．４９６±０．００１６（Ｖ）である。値αが８３ｋＰａ未満の場合、セル電圧の（平均値±標準偏差）は、０．４９２±０．００２５（Ｖ）である。よって、値αは８３ｋＰａ以上が好ましい。図７（Ａ）の太枠は、値αが８３ｋＰａ以上であることを満たす範囲を示す。
【０１１０】
図１５（Ｂ）に示すように、値αが５０ｋＰａ以上の場合、値αが５０ｋＰａ未満の場合に比べて、面積抵抗の平均値が低くなると共に、面積抵抗のばらつきが低減される。値αが５０ｋＰａ以上の場合、面積抵抗の（平均値±標準偏差）は、８０．５±２．０（ｍΩ・ｃｍ2）である。値αが５０ｋＰａ未満の場合、面積抵抗の（平均値±標準偏差）は、８６．１±２．３（ｍΩ・ｃｍ2）である。よって、値αは５０ｋＰａ以上が好ましい。図７（Ｂ）の太枠は、値αが５０ｋＰａ以上であることを満たす範囲を示す。
【０１１１】
図１６（Ａ）は、縦軸をセル電圧、横軸を冷却水温度の低減値をカソードガスのストイキ比で割ることによって算出される商（以下「値β」と言う）にとったグラフである。冷却水温度の低減値とは、変更された冷却水温度の目標値と、通常条件における冷却水温度の目標値（６５℃）との差である。例えば、変更された冷却水温度の目標値が３０℃であれば、低減値は３５℃である。図１６（Ｂ）は、縦軸を面積抵抗、横軸を値βにとったグラフである。
【０１１２】
図１６（Ａ）に示すように、値βが８．３℃以上の場合、値βが８．３℃未満の場合に比べて、セル電圧の平均値が高くなると共に、セル電圧のばらつきが低減される。値βが８．３℃以上の場合、セル電圧の（平均値±標準偏差）は、０．５６５±０．００８（Ｖ）である。値βが８．３℃未満の場合、セル電圧の（平均値±標準偏差）は、０．５３３±０．００１４（Ｖ）である。よって、値βは８．３℃以上が好ましい。図８（Ａ）の太枠は、値βが８．３℃以上であることを満たす範囲を示す。
【０１１３】
図１６（Ｂ）に示すように、値βが１０℃以上の場合、値βが１０℃未満の場合に比べて、面積抵抗の平均値が低くなると共に、面積抵抗のばらつきが低減される。値βが１０℃以上の場合、面積抵抗の（平均値±標準偏差）は、６６．１±０．０（ｍΩ・ｃｍ2）である。値βが１０℃未満の場合、面積抵抗の（平均値±標準偏差）は、７１．４±３．９（ｍΩ・ｃｍ2）である。よって、値βは１０℃以上が好ましい。図８（Ｂ）の太枠は、値βが１０℃以上であることを満たす範囲を示す。
【０１１４】
図１７は、局所電流密度および面内位置の関係、並びに局所面積抵抗および面内位置の関係を示すグラフである。この測定は、燃料電池スタック４０全体の電流密度が２．４Ａ／ｃｍ2となる条件下において行われた。この測定は、２つの条件下において行われた。２つの条件とは、乾燥抑制処理を実行した場合と、通常条件の場合とである。ここで言う乾燥抑制処理の実行とは、カソードストイキ比制御処理と冷却水温度制御処理との実行である。カソードガスのストイキ比の目標値は１．０、冷却水温度の目標値は３０℃に設定した。
【０１１５】
乾燥抑制処理を実行した場合の局所電流密度は、通常条件の場合の局所電流密度に比べて、図１７に示すように、最大値と最小値との差が小さい。この差が小さいことは、局所電流密度が平準化されていることを意味する。図１７に示すように、乾燥抑制処理を実行した場合の局所電流密度は、通常条件の場合の局所電流密度に比べて、何れの面内位置においても値が低下している。特にアノード入り口付近においては、面積抵抗が顕著に低下している。この低下は、乾燥抑制処理によって、アノード入り口付近の乾燥が抑制されたことに起因すると推定される。
【０１１６】
図１８は、セル電圧および電流密度の関係、並びに面積抵抗および電流密度の関係を示すグラフである。この測定は、図１７について説明したものと同じ２つの条件下において行われた。
【０１１７】
図１８に示すように、電流密度が０．８Ａ／ｃｍ2以下においては、セル電圧および面積抵抗ともに、乾燥抑制処理を実行した場合と通常条件の場合との差は小さい。これに対して、電流密度が１．４Ａ／ｃｍ2以上においては電流密度が大きくなればなる程、通常条件の場合よりも乾燥抑制処理を実行した場合の方が好ましい値を得ることができる。なぜなら、アノード入り口付近の乾燥は、電流密度が大きければ大きい程、進行しやすいからである。よって、電流密度が大きければ大きい程、乾燥抑制処理を実行するのが好ましい。特に電流密度が１．４Ａ／ｃｍ2以上の場合において、乾燥抑制処理を実行するのが好ましい。
【０１１８】
本発明は、上述の実施形態や実施例、変形例に限られるものではなく、その趣旨を逸脱しない範囲において種々の構成によって実現できる。例えば、発明の概要の欄に記載した各形態中の技術的特徴に対応する実施形態、実施例、変形例中の技術的特徴は、上述の課題の一部または全部を解決するために、或いは、上述の効果の一部または全部を達成するために、適宜、差し替えや、組み合わせを行うことができる。その技術的特徴が本明細書中に必須なものとして説明されていなければ、適宜、削除することできる。
【符号の説明】
【０１１９】
２０…燃料電池自動車
３０…燃料電池システム
４０…燃料電池スタック
４１…単セル
４３…膜電極接合体
４５…電解質膜部
４７…電極塗布部
５０…アノードガス供給排出機構
５１…水素タンク
５２…レギュレータ
５３…アノードガス循環ポンプ
５４…パージバルブ
５５…排出経路
５６…アノードガス圧力計
５７…インジェクタ
６０…カソードガス供給排出機構
６１…カソードガス供給路
６２…エアコンプレッサ
６３…空気流量計
６６…カソードガス排出路
６７…圧力調整シャットバルブ
６８…カソードガス圧力計
７０…冷却水循環機構
７１…ラジエータ
７２…冷却水循環ポンプ
７３…水温計
８０…電力供給機構
９０…駆動機構
９１…モータ
９２…駆動輪
１００…制御ユニット
１１０…乾燥抑制部
【図１Ａ】
2014017028.tif 000003
【図１Ｂ】
2014017028.tif 000004
【図２】
2014017028.tif 000005
【図３】
2014017028.tif 000006
【図４】
2014017028.tif 000007
【図５】
2014017028.tif 000008
【図６】
2014017028.tif 000009
【図７】
2014017028.tif 000010
【図８】
2014017028.tif 000011
【図９】
2014017028.tif 000012
【図１０】
2014017028.tif 000013
【図１１】
2014017028.tif 000014
【図１２】
2014017028.tif 000015
【図１３】
2014017028.tif 000016
【図１４】
2014017028.tif 000017
【図１５】
2014017028.tif 000018
【図１６】
2014017028.tif 000019
【図１７】
2014017028.tif 000020
【図１８】
2014017028.tif 000021
【手続補正書】
【提出日】平成27年7月28日(2015.7.28)
【手続補正１】
【補正対象書類名】特許請求の範囲
【補正対象項目名】全文
【補正方法】変更
【補正の内容】
【特許請求の範囲】
【請求項１】
カソード側の電極において１ｃｍ２当たりに含まれる白金触媒の質量が０．２ｍｇ以下である燃料電池システムであって、
アノードに対して供給されるアノードガスの流れの向きと、カソードに対して供給されるカソードガスの流れの向きとが互いに対向するように前記アノードガスと前記カソードガスとの供給を受ける燃料電池スタックと、
１．４Ａ／ｃｍ２以上の電流密度による発電が所定時間以上、要求された場合、前記アノードガスの出口圧力を１００ｋＰａ以上２５０ｋＰａ以下に制御し、前記アノードガスのストイキ比を１．２５以上５以下に制御する乾燥抑制部と
を備える燃料電池システム。
【請求項２】
請求項１に記載の燃料電池システムであって、
前記乾燥抑制部は、前記燃料電池スタックの温度を３０℃以上６５℃以下に制御し、前記カソードガスのストイキ比を１．０以上１．５以下に制御する
燃料電池システム。
【請求項３】
請求項２に記載の燃料電池システムであって、
前記乾燥抑制部は、前記燃料電池スタックの温度を３０℃以上５０℃以下に制御する
燃料電池システム。
【請求項４】
請求項３に記載の燃料電池システムであって、
前記乾燥抑制部は、前記燃料電池スタックの温度を３０℃以上４０℃以下に制御する
燃料電池システム。
【請求項５】
請求項２から請求項４の何れか１つに記載の燃料電池システムであって、
前記乾燥抑制部は、前記カソードガスのストイキ比を１．０以上１．３以下に制御する
燃料電池システム。
【請求項６】
請求項５に記載の燃料電池システムであって、
前記乾燥抑制部は、前記カソードガスのストイキ比を１．０以上１．２以下に制御する
燃料電池システム。
【請求項７】
請求項２から請求項６の何れか１つに記載の燃料電池システムであって、
前記乾燥抑制部による温度制御が終了した後に、前記燃料電池スタックの目標温度を、通常の運転条件における値に設定する目標温度設定部を備え、
前記乾燥抑制部は、前記目標温度設定部によって設定される目標温度から、前記乾燥抑制部によって設定される目標温度を引いて得られる差を、前記目標値に設定されるカソードガスのストイキ比で割ることによって算出される商が８．３℃以上になるように、前記燃料電池スタックの温度と前記カソードガスのストイキ比とを制御する
燃料電池システム。
【請求項８】
請求項７に記載の燃料電池システムであって、
前記乾燥抑制部は、前記目標値に設定されるカソードガスのストイキ比で割ることによって算出される商が１０℃以上になるように、前記燃料電池スタックの温度と前記カソードガスのストイキ比とを制御する
燃料電池システム。
【請求項９】
請求項２から請求項８の何れか１つに記載の燃料電池システムであって、
前記乾燥抑制部は、セル電圧が基準値以下となることを達成した場合に、前記燃料電池スタックの温度の制御を終える
燃料電池システム。
【請求項１０】
請求項２から請求項９の何れか１つに記載の燃料電池システムであって、
前記乾燥抑制部は、前記燃料電池スタックの温度が目標値以下となることを達成した場合に、前記燃料電池スタックの温度の制御を終える
燃料電池システム。
【請求項１１】
請求項２から請求項１０の何れか１つに記載の燃料電池システムであって、
前記乾燥抑制部は、セル電圧が基準値以下となることを達成した場合に、前記カソードガスのストイキ比の制御を終える
燃料電池システム。
【請求項１２】
請求項２から請求項１１の何れか１つに記載の燃料電池システムであって、
前記乾燥抑制部は、前記カソードガスのストイキ比が目標値以下となることを達成した場合に、前記カソードガスのストイキ比の制御を終える
燃料電池システム。
【請求項１３】
請求項１から請求項１２の何れか１つに記載の燃料電池システムであって、
前記乾燥抑制部は、前記アノードガスの出口圧力を１５０ｋＰａ以上２５０ｋＰａ以下に制御する
燃料電池システム。
【請求項１４】
請求項１３に記載の燃料電池システムであって、
前記乾燥抑制部は、前記アノードガスの出口圧力を１５０ｋＰａ以上２００ｋＰａ以下に制御する
燃料電池システム。
【請求項１５】
請求項１から請求項１４の何れか１つに記載の燃料電池システムであって、
前記乾燥抑制部は、前記アノードガスのストイキ比を１．２５以上４以下に制御する
燃料電池システム。
【請求項１６】
請求項１５に記載の燃料電池システムであって、
前記乾燥抑制部は、前記アノードガスのストイキ比を１．２５以上３以下に制御する
燃料電池システム。
【請求項１７】
請求項１６に記載の燃料電池システムであって、
前記乾燥抑制部は、前記アノードガスのストイキ比を１．２５以上２以下に制御する
燃料電池システム。
【請求項１８】
請求項１７に記載の燃料電池システムであって、
前記乾燥抑制部は、前記アノードガスのストイキ比を１．２５以上１．６６以下に制御する
燃料電池システム。
【請求項１９】
請求項１から請求項１８の何れか１つに記載の燃料電池システムであって、
前記乾燥抑制部は、前記アノードガスの出口圧力を前記アノードガスのストイキ比で割ることによって算出される商が５０ｋＰａ以上になるように、前記アノードガスの出口圧力と前記アノードガスのストイキ比とを制御する
燃料電池システム。
【請求項２０】
請求項１９に記載の燃料電池システムであって、
前記乾燥抑制部は、前記アノードガスのストイキ比で割ることによって算出される商が８３ｋＰａ以上になるように、前記アノードガスの出口圧力と前記アノードガスのストイキ比とを制御する
燃料電池システム。
【請求項２１】
請求項１から請求項２０の何れか１つの燃料電池システムの運転方法。
【国際調査報告】
2014017028.tif 000022
2014017028.tif 000023
2014017028.tif 000024
2014017028.tif 000025